(57)【要約】【課題】異なる画像フォーマットの映像信号を同時に出力する映像信号再生装置において、その回路規模を増大させないようにする。【解決手段】ｎを２以上の整数として、画像符号化データが復号された画像データの走査線数を変換する第１乃至第ｎの画像走査線変換部３、４と、この第１乃至第ｎの画像走査線変換部３、４からの画像データを映像信号規格に従った第１乃至第ｎの映像信号に変換して出力する第１乃至第ｎの映像信号フォーマット部５、６と、この第１乃至第ｎの映像信号フォーマット部５、６で垂直同期信号および水平同期信号を生成するための垂直カウンタおよび水平カウンタを持ち、第１乃至第ｎの映像信号を同時に出力するために、第１乃至第ｎの映像信号フォーマット部５、６に垂直カウンタおよび水平カウンタの値を供給するカウンタ発生部７とを備える。【選択図】      図１
2004328685.tif 000002
【特許請求の範囲】
【請求項１】
ｎを２以上の整数として、
画像符号化データが復号された画像データの走査線数を変換する第１乃至第ｎの画像走査線変換部と、
前記第１乃至第ｎの画像走査線変換部からの画像データを映像信号規格に従った第１乃至第ｎの映像信号に変換して出力する第１乃至第ｎの映像信号フォーマット部と、
前記第１乃至第ｎの映像信号フォーマット部で垂直同期信号および水平同期信号を生成するための垂直カウンタおよび水平カウンタを持ち、前記第１乃至第ｎの映像信号を同時に出力するために、前記第１乃至第ｎの映像信号フォーマット部に前記垂直カウンタおよび水平カウンタの値を供給するカウンタ発生部と、を備えることを特徴とする映像信号再生装置。
【請求項２】
第１乃至第ｎの映像信号フォーマット部またはカウンタ発生部に第１の映像信号の画素周波数のＭ／Ｎ倍（Ｍ、Ｎ：整数）のクロックを供給する手段を有することを特徴とする請求項１記載の映像信号再生装置。
【請求項３】
第１乃至第ｎの映像信号フォーマット部へ供給するためにカウンタ発生部で生成する垂直カウンタ値の初期化のタイミングが同じであることを特徴とする請求項１または２記載の映像信号再生装置。
【請求項４】
カウンタ発生部は、第１乃至第ｎの映像信号フォーマット部へ供給するために生成する垂直カウンタ値の周期が一定になるように、生成する水平カウンタ値の周期を制御可能であることを特徴とする請求項１から３までのいずれか１項記載の映像信号再生装置。
【請求項５】
第１乃至第ｎの映像信号フォーマット部から出力される映像信号の水平表示開始位置を調整する手段を有することを特徴とする請求項１から４までのいずれか１項記載の映像信号再生装置。
【請求項６】
第１乃至第ｎの映像信号フォーマット部から出力される映像信号の垂直表示開始位置を調整する手段を有することを特徴とする請求項１から５までのいずれか１項記載の映像信号再生装置。
【請求項７】
第１乃至第ｎの画像走査線変換部は、画像データの走査線を４８０本または７２０本または１０８０本に変換可能であることを特徴とする請求項１から６までのいずれか１項記載の映像信号再生装置。
【発明の詳細な説明】
【０００１】
【発明の属する技術分野】
本発明は映像信号再製装置に関し、特に異なる画像フォーマットの映像信号を同時に出力する映像信号再生装置に関する。
【０００２】
【従来の技術】
従来、異なる画像フォーマットの映像信号を同時に出力する映像信号再生装置として、たとえば特許文献１に記載されたものが知られている。
【０００３】
図１２は、特許文献１に記載された、異なる画像フォーマットの映像信号を同時に出力する従来の映像信号再生装置を示す図である。
ここで、入力端子１０１からの画像符号化データが、ＭＰＥＧ復号化部１０２によって画像データに変換される。ＭＰＥＧ復号化部２からの画像データは第１画像フォーマット変換部１０３で７２０ｐまたは１０８０ｉフォーマットの映像信号に変換されて出力端子１０５より出力される。同様に第２画像フォーマット変換部１０４で５２５ｉまたは５２５ｐフォーマットの映像信号に変換されて出力端子１０６より出力される。
【０００４】
【特許文献１】
特開２００１−２０３９８８号公報（特に図１）
【０００５】
【発明が解決しようとする課題】
画像フォーマット５２５ｉのフィールド周波数、５２５ｐのフレーム周波数、７２０ｐのフレーム周波数、１０８０ｉのフィールド周波数は、すべて５９．９４Ｈｚである。またピクセル周波数は、５２５ｉは１３．５ＭＨｚ、５２５ｉは１３．５ＭＨｚ、５２５ｐは２７ＭＨｚ、７２０ｐと１０８０ｉは７４．２５／１．００１ＭＨｚである。
【０００６】
たとえば出力端子１０５より７２０ｐの映像信号を出力し、出力端子１０６より５２５ｐの映像信号を出力する場合、５２５ｐと７２０ｐのピクセル周波数が単純な整数比でないため、第２画像フォーマット変換部１０４を２７ＭＨｚで動作させ、第１画像フォーマット変換部１０３を２７ＭＨｚの１１／４倍である７４．２５ＭＨｚで動作させると、第１画像フォーマット変換部１０３のフレーム周波数が６０Ｈｚ、第２画像フォーマット変換部４のフレーム周波数が５９．９４Ｈｚとなり、フレームの先頭のタイミングが第１画像フォーマット変換部１０３と第２画像フォーマット変換部１０４とでずれる。このため、ＭＰＥＧ復号化部１０２を２つに分けたり、ずれを吸収するためのバッファを追加したりするなど、回路規模が増大する問題があった。出力端子１０５からの出力が１０８０ｉの場合、出力端子１０６からの出力が５２５ｉの場合も同様である。
【０００７】
そこで、本発明の目的は、異なる画像フォーマットの映像信号を同時に出力する映像信号再生装置の回路規模を増大させないようにすることにある。
【０００８】
【課題を解決するための手段】
上記課題を解決するために請求項１の映像信号再生装置の発明は、ｎを２以上の整数として、画像符号化データが復号された画像データの走査線数を変換する第１乃至第ｎの画像走査線変換部と、前記第１乃至第ｎの画像走査線変換部からの画像データを映像信号規格に従った第１乃至第ｎの映像信号に変換して出力する第１乃至第ｎの映像信号フォーマット部と、前記第１乃至第ｎの映像信号フォーマット部で垂直同期信号および水平同期信号を生成するための垂直カウンタおよび水平カウンタを持ち、前記第１乃至第ｎの映像信号を同時に出力するために、前記第１乃至第ｎの映像信号フォーマット部に前記垂直カウンタおよび水平カウンタの値を供給するカウンタ発生部と、を備えるようにしたものである。
【０００９】
これによると、カウンタ発生部を備えただけの構成で、それよりも回路規模を増大させることなしに、画像符号化データを複数の映像信号規格に従った映像信号に変換して同時に出力することができる。
【００１０】
また、請求項２の発明は、請求項１に記載の映像信号再生装置において、第１乃至第ｎの映像信号フォーマット部またはカウンタ発生部に第１の映像信号の画素周波数のＭ／Ｎ倍（Ｍ、Ｎ：整数）のクロックを供給する手段を有するようにしたものである。
【００１１】
これによると、各映像信号フォーマット部とカウンタ発生部のクロックの共有化ができる。
また、請求項３の発明は、請求項１または２に記載の映像信号再生装置において、第１乃至第ｎの映像信号フォーマット部へ供給するためにカウンタ発生部で生成する垂直カウンタ値の初期化のタイミングが同じであるようにしたものである。
【００１２】
これによると、各映像信号出力のフレームの先頭のタイミングを一致させることで、入力された画像符号化データを復号して画像データを生成する動画像復号化手段を２乃至ｎ個に分けたり、ずれを吸収するためのバッファを追加したりするなどの、回路規模の増大を回避することができる。
【００１３】
また、請求項４の発明は、請求項１から３までのいずれか１項記載の映像信号再生装置において、カウンタ発生部は、第１乃至第ｎの映像信号フォーマット部へ供給するために生成する垂直カウンタ値の周期が一定になるように、生成する水平カウンタ値の周期を制御可能としたものである。
【００１４】
これによると、各映像信号出力のフレーム周期を一致させることで、入力された画像符号化データを復号して画像データを生成する動画像復号化手段を２乃至ｎ個に分けたり、ずれを吸収するためのバッファを追加したりするなどの、回路規模の増大を回避することができる。
【００１５】
また、請求項５の発明は、請求項１から４までのいずれか１項記載の映像信号再生装置において、第１乃至第ｎの映像信号フォーマット部から出力される映像信号の水平表示開始位置を調整する手段を有するようにしたものである。
【００１６】
これによると、表示の水平方向の位置を調整できる。
また、請求項６の発明は、請求項１から５までのいずれか１項記載の映像信号再生装置において、第１乃至第ｎの映像信号フォーマット部から出力される映像信号の垂直表示開始位置を調整する手段を有するようにしたものである。
【００１７】
これによると、表示の垂直方向の位置を調整できる。
また、請求項７の発明は、請求項１から６までのいずれか１項記載の映像信号再生装置において、画像データの走査線を４８０本または７２０本または１０８０本に変換可能であるようにしたものである。
【００１８】
これによると、走査線が４８０本または７２０本または１０８０本の映像信号を出力できる。
【００１９】
【発明の実施の形態】
以下、本発明の実施の形態について、図面を参照しながら説明する。
（第１の実施の形態）
図１は、本発明の第１の実施の形態における映像信号再生装置の構成例を示す図である。
【００２０】
図１に示す映像信号再生装置は、入力端子１、動画像復号化部２、第１の画像走査線変換部３、第２の画像走査線変換部４、第１の映像信号フォーマット部５、第２の映像信号フォーマット部６、カウンタ発生部７、クロック入力端子８、出力端子９、出力端子１０、およびリセット入力端子１１を有している。
【００２１】
入力端子１は、画像符号化データＳ１を入力する。
動画像復号化部２は、入力端子１からの画像符号化データＳ１を画像データＳ２に変換する。
【００２２】
第１の画像走査線変換部３は、動画像復号化部２からの画像データＳ２の走査線数を変換して（例えば４８０本に変換）、画像データＳ３を出力する。
第２の画像走査線変換部４は、動画像復号化部２からの画像データＳ２の走査線数を第１の画像走査線変換部３とは違う値に変換して（例えば７２０本に変換）、画像データＳ４を出力する。
【００２３】
第１の映像信号フォーマット部５は、第１の画像走査線変換部３からの画像データＳ３を映像信号規格（例えばＩＴＵ−Ｒ  ＢＴ．１３５８規格）に従った映像信号Ｓ５に変換して出力する。
【００２４】
第２の映像信号フォーマット部６は、第２の画像走査線変換部４からの画像データＳ４を映像信号規格（例えばＳＭＰＴＥ２９６Ｍ規格）に従った映像信号Ｓ６に変換して出力する。
【００２５】
カウンタ発生部７は、第１の映像信号フォーマット部５に第１垂直カウンタ値Ｖ１と第１水平カウンタ値Ｈ１を出力し、また第２の映像信号フォーマット部６に第２垂直カウンタ値Ｖ２と第２水平カウンタ値Ｈ２を出力する。
【００２６】
クロック入力端子８は、第１の映像信号フォーマット部５または第２の映像信号フォーマット部６またはカウンタ発生部７に、第１の映像信号Ｓ５の画素周波数（例えば２７ＭＨｚ）のＭ／Ｎ倍（Ｍ、Ｎ：整数）のクロックＣ０を供給する。
【００２７】
出力端子９は、第１の映像信号フォーマット部５からの第１の映像信号Ｓ５を出力する。
出力端子１０は、第２の映像信号フォーマット部６からの第２の映像信号Ｓ６を出力する。
【００２８】
リセット入力端子１１は、カウンタ発生部７を初期化するリセット信号Ｒ０を供給する。
次に、以上のように構成された本実施の形態に係る映像信号再生装置の動作について説明する。
【００２９】
入力端子１から入力された画像符号化データＳ１は、動画像復号化部２によって画像データＳ２に変換される。第１の画像走査線変換部３は、画像データＳ２の走査線数を変換して画像データＳ３を出力する。第１の映像信号フォーマット部５は、画像データＳ３を映像信号規格に従いフォーマット変換して、映像信号Ｓ５を出力端子９より出力する。また第２の画像走査線変換部４は、画像データＳ２の走査線数を変換して画像データＳ４を出力する。第２の映像信号フォーマット部６は、画像データＳ４を映像信号規格に従いフォーマット変換して、映像信号Ｓ６を出力端子１０より出力する。クロック入力端子８から入力されたクロックＣ０は、第１の映像信号フォーマット部５または第２の映像信号フォーマット部６またはカウンタ発生部７に入力される。カウンタ発生部７は、第１の映像信号フォーマット部５で同期信号を生成するために必要な第１垂直カウンタ値Ｖ１と第１水平カウンタ値Ｈ１を出力し、また第２の映像信号フォーマット部６で同期信号を生成するために必要な第２垂直カウンタ値Ｖ２と第２水平カウンタ値Ｈ２を出力する。リセット入力端子１１から入力されたリセット信号は、カウンタ発生部７の第１垂直カウンタ値Ｖ１と第１水平カウンタ値Ｈ１と第２垂直カウンタ値Ｖ２と第２水平カウンタ値Ｈ２を初期化する。
【００３０】
以下においては、出力端子９より５２５ｐ（ＩＴＵ−Ｒ  ＢＴ．１３５８規格）の映像信号を出力し、出力端子１０より７２０ｐ（ＳＭＰＴＥ２９６Ｍ規格）の映像信号を出力する場合について説明する。クロック入力端子８から入力するクロックの周波数は、Ｍ＝１１、Ｎ＝２である１４８．５ＭＨｚとする。
【００３１】
次にカウンタ発生部７の具体的動作を説明する。
図２は、カウンタ発生部７の構成例を示す。このカウンタ発生部７は、クロック入力端子８、リセット入力端子１１、第１分周器２１、第１水平カウンタ２２、第１垂直パルス発生部２３、第１垂直カウンタ２４、第１水平カウンタ出力端子２９、第１垂直カウンタ出力端子３０、第２分周器２５、第２水平カウンタ２６、第２垂直パルス発生部２７、第２垂直カウンタ２８、第２水平カウンタ出力端子３１、第２垂直カウンタ出力端子３２を有している。
【００３２】
クロック入力端子８は、クロックＣ０を入力する。
リセット入力端子１１は、リセット信号Ｒ０を入力する。
第１分周器２１は、クロック入力端子８からのクロックＣ０の周波数を分周して、２７ＭＨｚのクロックＣ１に変換する。
【００３３】
第１水平カウンタ２２は、第１分周器２１からのクロックＣ１で０から１ずつカウントアップし、８５７になると０に戻り、また、リセット入力端子１１からのリセット信号Ｒ０が入力されたときに０に戻る、第１水平カウンタ値Ｈ１を出力する。
【００３４】
第１垂直パルス発生部２３は、第１水平カウンタ２２からの水平カウンタ値Ｈ１が０になったときパルスＳ２１を発生する。
第１垂直カウンタ２４は、第１垂直パルス発生部２３からのパルスＳ２１が発生したときに０から１ずつカウントアップし、５２４になると０に戻り、また、リセット入力端子１１からのリセット信号Ｒ０が入力されたときに０に戻る、第１垂直カウンタ値Ｖ１を出力する。
【００３５】
第１水平カウンタ出力端子２９は、第１水平カウンタ２２からの第１水平カウンタ値Ｈ１を出力する。
第１垂直カウンタ出力端子３０は、第１垂直カウンタ２４からの第１垂直カウンタ値Ｖ１を出力する。
【００３６】
第２分周器２５は、クロック入力端子８からのクロックＣ０の周波数を分周して７４．２５ＭＨｚのクロックＣ２に変換する。
第２水平カウンタ２６は、第２分周器２５からのクロックＣ２で０から１ずつカウントアップし、設定値ａになると０に戻り、また、リセット入力端子１１からのリセット信号Ｒ０が入力されたとき０に戻る、第２水平カウンタ値Ｈ２を出力する。
【００３７】
第２垂直パルス発生部２７は、第２水平カウンタ２６からの水平カウンタ値Ｈ２が０になったときにパルスＳ２２を発生する。
第２垂直カウンタ２８は、第２垂直パルス発生部２７からのパルスＳ２２が発生したときに０から１ずつカウントアップし、７４９になると０に戻り、また、リセット入力端子１１からのリセット信号Ｒ０が入力されたときに０に戻る、第２垂直カウンタ値Ｖ２を出力する。
【００３８】
第２水平カウンタ出力端子３１は、第２水平カウンタ２６からの第２水平カウンタ値Ｈ２を出力する。
第２垂直カウンタ出力端子３２は、第２垂直カウンタ２８からの第２垂直カウンタ値Ｖ２を出力する。
【００３９】
次に、以上のように構成されたカウンタ発生部７の動作について説明する。
図３は、第１水平カウンタ値Ｈ１、第１垂直カウンタ値Ｖ１のタイミングを示す図である。
【００４０】
図４は、第２水平カウンタ値Ｈ２、第２垂直カウンタ値Ｖ２のタイミングを示す図である。
第１水平カウンタ２２は、図３に示すようにリセット入力端子１１からのリセット信号Ｒ０により０に初期化され、２７ＭＨｚのクロックＣ１の１サイクルごとに１ずつ増加する。そして値が８５７になると次の２７ＭＨｚのクロックＣ１のサイクルで０に戻り、再び増加する。つまり第１水平カウンタ値Ｈ１は８５８サイクル周期で０になる。
【００４１】
第１垂直カウンタ２４は、図３に示すようにリセット入力端子１１からのリセット信号Ｒ０により０に初期化され、第１水平カウンタ値Ｈ１が０の時にパルスＳ２１が発生するごとに１ずつ増加する。そして値が５２４になると次のパルスＳ２１の発生で０に戻り、再び増加する。つまり第１垂直カウンタ値Ｖ１はパルスＳ２１の発生の５２５回周期で０になる。また第１垂直カウンタ値Ｖ１が０になる周期が、出力端子９から出力される第１の映像信号Ｓ５のフレーム周期である。
【００４２】
第２水平カウンタ２６は、図４に示すようにリセット入力端子１１からのリセット信号Ｒ０により０に初期化され、７４．２５ＭＨｚクロックＣ２の１サイクルごとに１ずつ増加する。そして値が設定値ａ（例えば１６４９）になると次の７４．２５ＭＨｚクロックＣ２のサイクルで０に戻り、再び増加する。つまり第２水平カウンタ値Ｈ２は（設定値ａ＋１）サイクル周期で０になる。
【００４３】
第２垂直カウンタ２８は図４に示すようにリセット入力端子１１からのリセット信号Ｒ０により０に初期化され、第２水平カウンタ値Ｈ２が設定値ａの時にパルスＳ２２が発生するごとに１ずつ増加する。そして値が７４９になると次のパルスＳ２２の発生で０に戻り、再び増加する。つまり第２垂直カウンタ値Ｖ２はパルスＳ２２の７５０回の発生の周期で０になる。また第２垂直カウンタ値Ｖ２が０になる周期が、出力端子１０から出力される第２の映像信号Ｓ６のフレーム周期である。
【００４４】
前述の設定値ａとしては、第２水平カウンタ２６の１周期ごとすなわち１ラインごとに、異なる値を設定する。その値は、第１の映像信号Ｓ５のフレーム周期と第２の映像信号Ｓ６のフレーム周期が一致するように設定する。
【００４５】
以下に、設定値ａについて一例を挙げる。
図５は、設定値ａを示す図である。ここで、第１の映像信号Ｓ５のフレーム周期は、
１／２７ＭＨｚ×８５８×５２５＝１６．６８３ｍＳ
である。また第２の映像信号Ｓ６のフレーム周期は、設定値ａを、１フレーム中常に、７２０ｐ規格の１ラインあたりのサンプル数−１である１６４９とすると
１／７４．２５ＭＨｚ×１６５０×７５０＝１６．６６７ｍＳ
である。
【００４６】
この第２の映像信号Ｓ６のフレーム周期と第１の映像信号Ｓ５のフレーム周期との差は７４．２５ＭＨｚで１２３７．５サイクルである。この差を第２の映像信号Ｓ５のライン数７５０で割ると１．６５サイクルである。従ってラインごとに設定値ａを１６５０（１６４９＋１）または１６５１（１６４９＋２）に設定すると、フレーム周期の差はなくなる。
【００４７】
フレーム周期の差が７４．２５ＭＨｚで１２３７．５サイクルであるため、２フレーム周期で一致させることとし、第１フレームでの差を１２３８サイクル、第２フレームでの差を１２３７サイクルとする。図５に示すように、設定値Ａは３ライン周期で１６５１、１６５１、１６５０と設定し、３ライン周期でＬ回に１回は１６５１、１６５０、１６５０と設定する。このＬの値は、第１フレームは２０、第２フレームは１９とする。
【００４８】
このように設定値ａをラインごとに可変とすることにより、第１の映像信号Ｓ５のフレーム周期を第２の映像信号Ｓ６のフレーム周期に合わせることが可能となる。
【００４９】
またリセット信号Ｒ０により最初に第１水平カウンタ値Ｈ１と第１垂直カウンタ値Ｖ１と第２水平カウンタ値Ｈ２と第２垂直カウンタ値Ｖ２をリセットし、その後は設定値ａをラインごとに可変とすることにより、第１の映像信号Ｓ５と第２の映像信号Ｓ６のフレーム開始タイミングを同じにすることができる。
【００５０】
なお、設定値ａの可変の仕方は、以上の方法に限定するものではない。
また、ここでは出力端子９より５２５ｐの映像信号を出力し、出力端子１０より７２０ｐの映像信号を出力する場合について説明したが、これに限定するものではない。
【００５１】
また、ここではクロック入力端子８から入力するクロックＣ０の周波数がＭ＝１１、Ｎ＝２である１４８．５ＭＨｚの場合について説明しているが、これに限定するものではない。
【００５２】
また、ここでは映像信号出力端子９、１０が２個の場合について説明しているが、これに限定するものではない。
以上のように本発明の第１の実施の形態に係る映像信号再生装置は、リセット信号Ｒ０により最初に第１水平カウンタ値Ｈ１と第１垂直カウンタ値Ｖ１と第２水平カウンタ値Ｈ２と第２垂直カウンタ値Ｖ２をリセットし、その後は設定値ａをラインごとに可変することにより、第１の映像信号Ｓ５と第２の映像信号Ｓ６のフレーム開始タイミングを同じにすることができ、動画像復号化部２を２つに分けたり、フレーム周期のずれを吸収するためのバッファを追加したりする必要などがないため、回路規模の増大を抑制することができる。
（第２の実施の形態）
図６は、本発明の第２の実施の形態における映像信号再生装置の構成例を示す図である。
【００５３】
図６に示す映像信号再生装置は、入力端子１、動画像復号化部２、第１の画像走査線変換部３、第２の画像走査線変換部４、第１の映像信号フォーマット部５、第２の映像信号フォーマット部６、カウンタ発生部４１、クロック入力端子８、出力端子９、出力端子１０、リセット入力端子１１、および水平位置設定部４２を有している。
【００５４】
入力端子１は、画像符号化データＳ１を入力する。
動画像復号化部２は、入力端子１からの画像符号化データＳ１を画像データＳ２に変換する。
【００５５】
第１の画像走査線変換部３は、動画像復号化部２からの画像データＳ２の走査線数を変換して（例えば４８０本に変換）、画像データＳ３を出力する。
第２の画像走査線変換部４は、動画像復号化部２からの画像データＳ２の走査線数を変換して（例えば７２０本に変換）、画像データＳ４を出力する。
【００５６】
第１の映像信号フォーマット部５は、第１の画像走査線変換部３からの画像データＳ３を映像信号規格（例えばＩＴＵ−Ｒ  ＢＴ．１３５８規格）に従った映像信号Ｓ５に変換して出力する。
【００５７】
第２の映像信号フォーマット部６は、第２の画像走査線変換部４からの画像データＳ４を映像信号規格（例えばＳＭＰＴＥ２９６Ｍ規格）に従った映像信号Ｓ６に変換して出力する。
【００５８】
カウンタ発生部４１は、第１の映像信号フォーマット部５に垂直カウンタ値Ｖ１と水平カウンタ値Ｈ１と水平表示開始位置を示すパルスＡ１を出力し、また第２の映像信号フォーマット部６に垂直カウンタ値Ｖ２と水平カウンタ値Ｈ２と水平表示開始位置を示すパルスＡ２を出力する。
【００５９】
クロック入力端子８は第１の映像信号フォーマット部５または第２の映像信号フォーマット部６またはカウンタ発生部４１に、第１の映像信号Ｓ５の画素周波数（例えば２７ＭＨｚ）のＭ／Ｎ倍（Ｍ、Ｎ：整数）のクロックＣ０を供給する。
【００６０】
出力端子９は、第１の映像信号フォーマット部５からの第１の映像信号Ｓ５を出力する。
出力端子１０は、第２の映像信号フォーマット部６からの第２の映像信号Ｓ６を出力する。
【００６１】
リセット入力端子１１は、カウンタ発生部４１を初期化するリセット信号Ｒ０を供給する。
水平位置設定部４２は、カウンタ発生部４１に第１の映像信号Ｓ５の水平表示開始位置を示す設定値Ｓ３１ａと、第２の映像信号Ｓ６の水平表示開始位置を示す設定値Ｓ３１ｂを出力する。
【００６２】
次に、以上のように構成された本実施の形態に係る映像信号再生装置の動作について説明する。
入力端子１から入力された画像符号化データＳ１は、動画像復号化部２によって画像データＳ２に変換される。第１の画像走査線変換部３は、画像データＳ２の走査線数を変換して画像データＳ３を出力する。第１の映像信号フォーマット部５は、画像データＳ３を映像信号規格に従いフォーマット変換して、映像信号Ｓ５を出力端子９より出力する。また第２の画像走査線変換部４は、画像データＳ２の走査線数を変換して画像データＳ４を出力する。第２の映像信号フォーマット部６は、画像データＳ４を映像信号規格に従いフォーマット変換して、映像信号Ｓ６を出力端子１０より出力する。クロック入力端子８から入力されたクロックは、第１の映像信号フォーマット部５または第２の映像信号フォーマット部６またはカウンタ発生部４１に入力される。カウンタ発生部４１は、第１の映像信号フォーマット部５で同期信号を生成するために必要な垂直カウンタ値Ｖ１と水平カウンタ値Ｈ１と水平表示開始位置を示すパルスＡ１を出力し、また第２の映像信号フォーマット部６で同期信号を生成するために必要な垂直カウンタ値Ｖ２と水平カウンタ値Ｈ２と水平表示開始位置を示すパルスＡ２を出力する。リセット入力端子１１から入力されたリセット信号Ｒ０は、カウンタ発生部４１の垂直カウンタ値Ｖ１と水平カウンタ値Ｈ１と垂直カウンタ値Ｖ２と水平カウンタ値Ｈ２を初期化する。水平位置設定部４２は、第１の映像信号Ｓ５の水平表示開始位置を示す設定値Ｓ３１ａと、第２の映像信号Ｓ６の水平表示開始位置を示す設定値Ｓ３１ｂをカウンタ発生部４１に出力する。
【００６３】
以下においては、出力端子９より５２５ｐ（ＩＴＵ−Ｒ  ＢＴ．１３５８規格）の映像信号を出力し、出力端子１０より７２０ｐ（ＳＭＰＴＥ２９６Ｍ規格）の映像信号を出力する場合について説明する。
【００６４】
クロック入力端子８から入力するクロックの周波数はＭ＝１１、Ｎ＝２である１４８．５ＭＨｚとする。
カウンタ発生部４１の具体的動作を説明する。
【００６５】
図７はカウンタ発生部４１の構成例を示す図である。
図７に示すカウンタ発生部４１は、クロック入力端子８、リセット入力端子１１、第１分周器２１、第１水平カウンタ２２、第１垂直パルス発生部２３、第１垂直カウンタ２４、第１水平カウンタ出力端子２９、第１垂直カウンタ出力端子３０、第２分周器２５、第２水平カウンタ２６、第２垂直パルス発生部２７、第２垂直カウンタ２８、第２水平カウンタ出力端子３１、第２垂直カウンタ出力端子３２、第１水平表示開始位置設定値入力端子５１、第１水平開始位置パルス発生部５２、第１水平開始位置パルス出力端子５３、第２水平表示開始位置設定値入力端子５４、第２水平開始位置パルス発生部５５、第２水平開始位置パルス出力端子５６を有している。
【００６６】
クロック入力端子８、リセット入力端子１１、第１分周器２１、第１水平カウンタ２２、第１垂直パルス発生部２３、第１垂直カウンタ２４、第１水平カウンタ出力端子２９、第１垂直カウンタ出力端子３０、第２分周器２５、第２水平カウンタ２６、第２垂直パルス発生部２７、第２垂直カウンタ２８、第２水平カウンタ出力端子３１、第２垂直カウンタ出力端子３２の動作については、上述の（第１の実施の形態）で説明しているため、ここではその説明を省略する。
【００６７】
第１水平表示開始位置設定値入力端子５１は、図６における第１の映像信号Ｓ５の水平表示開始位置を設定する設定値Ｓ３１ａを、第１水平開始位置パルス発生部５２に入力する。
【００６８】
第１水平開始位置パルス発生部５２は、水平カウンタ値Ｈ１と設定値Ｓ３１ａが一致したときにパルスＡ１を発生する。
第１水平開始位置パルス出力端子５３は、第１水平開始位置パルス発生部５２からのパルスＡ１を出力する。
【００６９】
第２水平表示開始位置設定値入力端子５４は、図６における第１の映像信号Ｓ６の水平表示開始位置を設定する設定値Ｓ３１ｂを、第２水平開始位置パルス発生部５５に入力する。
【００７０】
第２水平開始位置パルス発生部５５は、水平カウンタ値Ｈ２と設定値Ｓ３１ｂが一致したときにパルスＡ２を発生する。
第２水平開始位置パルス出力端子５６は、第２水平開始位置パルス発生部５５からのパルスＡ２を出力する。
【００７１】
次に、図６の第１の映像信号フォーマット部５について説明する。
第１の映像信号フォーマット部５は、カウンタ発生部４１から水平表示開始位置を示すパルスＡ１が入力されたタイミングで、表示する映像信号の出力を開始する。
【００７２】
次に、図６の第２の映像信号フォーマット部６について説明する。
第２の映像信号フォーマット部６は、カウンタ発生部４１から水平表示開始位置を示すパルスＡ２が入力されたタイミングで、表示する映像信号の出力を開始する。
【００７３】
なお、ここでは出力端子９より５２５ｐの映像信号を出力し、出力端子１０より７２０ｐの映像信号を出力する場合について説明しているが、これに限定するものではない。
【００７４】
また、ここではクロック入力端子８から入力するクロックＣ０の周波数はＭ＝１１、Ｎ＝２である１４８．５ＭＨｚの場合について説明しているが、これに限定するものではない。
【００７５】
また、ここでは映像信号出力端子９、１０が２個の場合について説明しているが、これに限定するものではない。
以上のように本発明の第２の実施の形態に係る映像信号再生装置は、水平位置設定部４２から出力される設定値Ｓ３１ａによって水平表示開始位置を示すパルスＡ１の発生するタイミングを調節することができ、第１の映像信号フォーマット部５から出力される第１の映像信号Ｓ５の水平表示開始位置を調節することができる。
【００７６】
また同様に、水平位置設定部４２から出力される設定値Ｓ３１ｂによって、第２の映像信号フォーマット部６から出力される第２の映像信号Ｓ６の水平表示開始位置を調節することができる。
（第３の実施の形態）
図８は、本発明の第３の実施の形態における映像信号再生装置の構成例を示す図である。
【００７７】
図８に示す映像信号再生装置は、入力端子１、動画像復号化部２、第１の画像走査線変換部３、第２の画像走査線変換部４、第１の映像信号フォーマット部５、第２の映像信号フォーマット部６、カウンタ発生部６１、クロック入力端子８、出力端子９、出力端子１０、リセット入力端子１１、および垂直位置設定部６２を有している。
【００７８】
入力端子１は、画像符号化データＳ１を入力する。
動画像復号化部２は、入力端子１からの画像符号化データＳ１を画像データＳ２に変換する。
【００７９】
第１の画像走査線変換部３は、動画像復号化部２からの画像データＳ２の走査線数を変換して（例えば４８０本に変換）画像データＳ３を出力する。
第２の画像走査線変換部４は、動画像復号化部２からの画像データＳ２の走査線数を変換して（例えば７２０本に変換）画像データＳ４を出力する。
【００８０】
第１の映像信号フォーマット部５は、第１の画像走査線変換部３からの画像データＳ３を映像信号規格（例えばＩＴＵ−Ｒ  ＢＴ．１３５８規格）に従った映像信号Ｓ５に変換して出力する。
【００８１】
第２の映像信号フォーマット部６は、第２の画像走査線変換部４からの画像データＳ４を映像信号規格（例えばＳＭＰＴＥ２９６Ｍ規格）に従った映像信号Ｓ６に変換して出力する。
【００８２】
カウンタ発生部６１は、第１の映像信号フォーマット部５に垂直カウンタ値Ｖ１と水平カウンタ値Ｈ１と垂直表示開始位置を示すパルスＢ１を出力し、また第２の映像信号フォーマット部６に垂直カウンタ値Ｖ２と水平カウンタ値Ｈ２と垂直表示開始位置を示すパルスＢ２を出力する。
【００８３】
クロック入力端子８は第１の映像信号フォーマット部５または第２の映像信号フォーマット部６またはカウンタ発生部６１に、第１の映像信号Ｓ５の画素周波数（例えば２７ＭＨｚ）のＭ／Ｎ倍（Ｍ、Ｎ：整数）のクロックＣ０を供給する。
【００８４】
出力端子９は、第１の映像信号フォーマット部５からの第１の映像信号Ｓ５を出力する。
出力端子１０は、第２の映像信号フォーマット部６からの第２の映像信号Ｓ６を出力する。
【００８５】
リセット入力端子１１は、カウンタ発生部６１を初期化するリセット信号Ｒ０を供給する。
垂直位置設定部６２は、カウンタ発生部６１に、第１の映像信号Ｓ５の垂直表示開始位置を示す設定値Ｓ３２ａと、第２の映像信号Ｓ６の垂直表示開始位置を示す設定値Ｓ３２ｂを出力する。
【００８６】
次に、以上のように構成された本実施の形態に係る映像信号再生装置の動作について説明する。
入力端子１から入力された画像符号化データＳ１は、動画像復号化部２によって画像データＳ２に変換される。第１の画像走査線変換部３は、画像データＳ２の走査線数を変換して画像データＳ３を出力する。第１の映像信号フォーマット部５は、画像データＳ３を映像信号規格に従いフォーマット変換して、映像信号Ｓ５を出力端子９より出力する。また第２の画像走査線変換部４は、画像データＳ２の走査線数を変換して画像データＳ４を出力する。第２の映像信号フォーマット部６は、画像データＳ４を映像信号規格に従いフォーマット変換して、映像信号Ｓ６を出力端子１０より出力する。クロック入力端子８から入力されたクロックＣ０は、第１の映像信号フォーマット部５または第２の映像信号フォーマット部６またはカウンタ発生部６１に入力される。カウンタ発生部６１は、第１の映像信号フォーマット部５で同期信号を生成するために必要な垂直カウンタ値Ｖ１と水平カウンタ値Ｈ１と垂直表示開始位置を示すパルスＢ１を出力し、また第２の映像信号フォーマット部６で同期信号を生成するために必要な垂直カウンタ値Ｖ２と水平カウンタ値Ｈ２と垂直表示開始位置を示すパルスＢ２を出力する。
【００８７】
リセット入力端子１１から入力されたリセット信号Ｒ０は、カウンタ発生部６１の垂直カウンタ値Ｖ１と水平カウンタ値Ｈ１と垂直カウンタ値Ｖ２と水平カウンタ値Ｈ２を初期化する。垂直位置設定部６２は、カウンタ発生部６１に、第１の映像信号Ｓ５の垂直表示開始位置を示す設定値Ｓ３２ａと、第２の映像信号Ｓ６の垂直表示開始位置を示す設定値Ｓ３２ｂを出力する。
【００８８】
出力端子９より５２５ｐ（ＩＴＵ−Ｒ  ＢＴ．１３５８規格）の映像信号を出力し、出力端子１０より７２０ｐ（ＳＭＰＴＥ２９６Ｍ規格）の映像信号を出力する場合について説明する。
【００８９】
クロック入力端子８から入力するクロックＣ０の周波数は、Ｍ＝１１、Ｎ＝２である１４８．５ＭＨｚとする。
次にカウンタ発生部６１の具体例を説明する。
【００９０】
図９はカウンタ発生部６１の構成例を示す図である。
この図９に示すカウンタ発生部６１は、クロック入力端子８、リセット入力端子１１、第１分周器２１、第１水平カウンタ２２、第１垂直パルス発生部２３、第１垂直カウンタ２４、第１水平カウンタ出力端子２９、第１垂直カウンタ出力端子３０、第２分周器２５、第２水平カウンタ２６、第２垂直パルス発生部２７、第２垂直カウンタ２８、第２水平カウンタ出力端子３１、第２垂直カウンタ出力端子３２、第１垂直表示開始位置設定値入力端子７１、第１垂直開始位置パルス発生部７２、第１垂直開始位置パルス出力端子７３、第２垂直表示開始位置設定値入力端子７４、第２垂直開始位置パルス発生部７５、第２垂直開始位置パルス出力端子７６を有している。
【００９１】
クロック入力端子８、リセット入力端子１１、第１分周器２１、第１水平カウンタ２２、第１垂直パルス発生部２３、第１垂直カウンタ２４、第１水平カウンタ出力端子２９、第１垂直カウンタ出力端子３０、第２分周器２５、第２水平カウンタ２６、第２垂直パルス発生部２７、第２垂直カウンタ２８、第２水平カウンタ出力端子３１、第２垂直カウンタ出力端子３２の動作については、上述の（第１の実施の形態）で説明しているため、ここではその説明を省略する。
【００９２】
第１垂直表示開始位置設定値入力端子７１は、第１の映像信号Ｓ５の垂直表示開始位置を設定する設定値Ｓ３２ａを第１垂直開始位置パルス発生部７２に入力する。
【００９３】
第１垂直開始位置パルス発生部７２は、垂直カウンタ値Ｖ１と設定値Ｓ３２ａが一致したときに、パルスＢ１を発生する。
第１垂直開始位置パルス出力端子７３は、第１垂直開始位置パルス発生部７２からのパルスＢ１を出力する。
【００９４】
第２垂直表示開始位置設定値入力端子７４は、第２の映像信号Ｓ６の垂直表示開始位置を設定する設定値Ｓ３２ｂを第２垂直開始位置パルス発生部７５に入力する。
【００９５】
第２垂直開始位置パルス発生部７５は、垂直カウンタ値Ｖ２と設定値Ｓ３２ｂが一致したときに、パルスＢ２を発生する。
第２垂直開始位置パルス出力端子７６は、第２垂直開始位置パルス発生部７５からのパルスＢ２を出力する。
【００９６】
図８における第１の映像信号フォーマット部５は、カウンタ発生部６１から垂直表示開始位置を示すパルスＢ１が入力されたタイミングで表示する映像信号の出力を開始する。
【００９７】
図８における第２の映像信号フォーマット部６は、カウンタ発生部６１から垂直表示開始位置を示すパルスＢ２が入力されたタイミングで、表示する映像信号の出力を開始する。
【００９８】
なお、ここでは出力端子９より５２５ｐの映像信号を出力し、出力端子１０より７２０ｐの映像信号を出力する場合について説明しているが、これに限定するものではない。
【００９９】
また、ここではクロック入力端子８から入力するクロックＣ０の周波数はＭ＝１１、Ｎ＝２である１４８．５ＭＨｚの場合について説明しているが、これに限定するものではない。
【０１００】
また、ここでは映像信号出力端子が２個の場合について説明しているが、これに限定するものではない。
以上のように第３の実施の形態に係る映像信号再生装置は、垂直位置設定部６２から出力される設定値Ｓ３２ａによって、垂直表示開始位置を示すパルスＢ１の発生するタイミングを調節することができ、第１の映像信号フォーマット部５から出力される第１の映像信号Ｓ５の垂直表示開始位置を調節することができる。
【０１０１】
また同様に垂直位置設定部６２から出力される設定値Ｓ３２ｂによって、第２の映像信号フォーマット部６から出力される第２の映像信号Ｓ６の垂直表示開始位置を調節することができる。
（第４の実施の形態）
図１０は、本発明の第４の実施の形態における映像信号再生装置の構成例を示す図である。
【０１０２】
図１０に示す映像信号再生装置は、入力端子１、動画像復号化部２、第１の画像走査線変換部３、第２の画像走査線変換部４、第１の映像信号フォーマット部５、第２の映像信号フォーマット部６、カウンタ発生部８１、クロック入力端子８、出力端子９、出力端子１０、リセット入力端子１１、および位置設定部８２を有している。
【０１０３】
入力端子１は、画像符号化データＳ１を入力する。
動画像復号化部２は、入力端子１からの画像符号化データＳ１を画像データＳ２に変換する。
【０１０４】
第１の画像走査線変換部３は、動画像復号化部２からの画像データＳ２の走査線数を変換して（例えば４８０本に変換）、画像データＳ３を出力する。
第２の画像走査線変換部４は、動画像復号化部２からの画像データの走査線数を変換して（例えば７２０本に変換）、画像データＳ４を出力する。
【０１０５】
第１の映像信号フォーマット部５は、第１の画像走査線変換部３からの画像データＳ３を映像信号規格（例えばＩＴＵ−Ｒ  ＢＴ．１３５８規格）に従った映像信号Ｓ５に変換して出力する。
【０１０６】
第２の映像信号フォーマット部６は、第２の画像走査線変換部４からの画像データＳ４を映像信号規格（例えばＳＭＰＴＥ２９６Ｍ規格）に従った映像信号Ｓ６に変換して出力する。
【０１０７】
カウンタ発生部８１は、第１の映像信号フォーマット部５に垂直カウンタ値Ｖ１と水平カウンタ値Ｈ１と水平表示開始位置を示すパルスＡ１と垂直表示開始位置を示すパルスＢ１を出力し、また第２の映像信号フォーマット部６に垂直カウンタ値Ｖ２と水平カウンタ値Ｈ２と水平表示開始位置を示すパルスＡ２と垂直表示開始位置を示すパルスＢ２を出力する。
【０１０８】
クロック入力端子８は第１の映像信号フォーマット部５または第２の映像信号フォーマット部６またはカウンタ発生部８１に第１の映像信号Ｓ５の画素周波数（例えば２７ＭＨｚ）のＭ／Ｎ倍（Ｍ、Ｎ：整数）のクロックＣ０を供給する。
【０１０９】
出力端子９は、第１の映像信号フォーマット部５からの第１の映像信号Ｓ５を出力する。
出力端子１０は、第２の映像信号フォーマット部６からの第２の映像信号Ｓ６を出力する。
【０１１０】
リセット入力端子１１は、カウンタ発生部８１を初期化するリセット信号Ｒ０を供給する。
位置設定部８２は、カウンタ発生部８１に、第１の映像信号Ｓ５の水平表示開始位置を示す設定値Ｓ３１ａと、第１の映像信号Ｓ５の垂直表示開始位置を示す設定値Ｓ３２ａと、第２の映像信号Ｓ６の水平表示開始位置を示す設定値Ｓ３１ｂと第２の映像信号Ｓ６の垂直表示開始位置を示す設定値Ｓ３２ｂを出力する。
【０１１１】
次に、以上のように構成された本実施の形態に係る映像信号再生装置の動作について説明する。
入力端子１から入力された画像符号化データＳ１は、動画像復号化部２によって画像データＳ２に変換される。第１の画像走査線変換部３は、画像データＳ２の走査線数を変換して画像データＳ３を出力する。第１の映像信号フォーマット部５は、画像データＳ３を映像信号規格に従いフォーマット変換して、映像信号Ｓ５を出力端子９より出力する。また第２の画像走査線変換部４は、画像データＳ２の走査線数を変換して画像データＳ４を出力する。第２の映像信号フォーマット部６は、画像データＳ４を映像信号規格に従いフォーマット変換して、映像信号Ｓ６を出力端子１０より出力する。クロック入力端子８から入力されたクロックＣ０は、第１の映像信号フォーマット部５または第２の映像信号フォーマット部６またはカウンタ発生部８１に入力される。カウンタ発生部８１は、第１の映像信号フォーマット部５で同期信号を生成するために必要な垂直カウンタ値Ｖ１と水平カウンタ値Ｈ１と水平表示開始位置を示すパルスＡ１と垂直表示開始位置を示すパルスＢ１を出力し、また第２の映像信号フォーマット部６で同期信号を生成するために必要な垂直カウンタＶ２と水平カウンタＨ２と水平表示開始位置を示すパルスＡ２と垂直表示開始位置を示すパルスＢ２を出力する。リセット入力端子１１から入力されたリセット信号Ｒ０は、カウンタ発生部８１の垂直カウンタ値Ｖ１と水平カウンタ値Ｈ１と垂直カウンタ値Ｖ２と水平カウンタ値Ｈ２を初期化する。位置設定部８２は、カウンタ発生部８１に、第１の映像信号Ｓ５の水平表示開始位置を示す設定値Ｓ３１ａと、第１の映像信号Ｓ５の垂直表示開始位置を示す設定値Ｓ３２ａと、第２の映像信号Ｓ６の水平表示開始位置を示す設定値Ｓ３１ｂと、第２の映像信号Ｓ６の垂直表示開始位置を示す設定値Ｓ３２ｂを出力する。
【０１１２】
出力端子９より５２５ｐ（ＩＴＵ−Ｒ  ＢＴ．１３５８規格）の映像信号を出力し、出力端子１０より７２０ｐ（ＳＭＰＴＥ２９６Ｍ規格）の映像信号を出力する場合について説明する。
【０１１３】
クロック入力端子８から入力するクロックＣ０の周波数はＭ＝１１、Ｎ＝２である１４８．５ＭＨｚとする。
次にカウンタ発生部８１の具体的動作を説明する。
【０１１４】
図１１はカウンタ発生部８１の構成例を示す図である。
図１１に示すカウンタ発生部８１は、クロック入力端子８、リセット入力端子１１、第１分周器２１、第１水平カウンタ２２、第１垂直パルス発生部２３、第１垂直カウンタ２４、第１水平カウンタ出力端子２９、第１垂直カウンタ出力端子３０、第２分周器２５、第２水平カウンタ２６、第２垂直パルス発生部２７、第２垂直カウンタ２８、第２水平カウンタ出力端子３１、第２垂直カウンタ出力端子３２、第１水平表示開始位置設定値入力端子９１、第１水平開始位置パルス発生部５２、第１水平開始位置パルス出力端子９２、第１垂直表示開始位置設定値入力端子９３、第１垂直開始位置パルス発生部７２、第１垂直開始位置パルス出力端子９４、第２水平表示開始位置設定値入力端子９５、第２水平開始位置パルス発生部５５、第２水平開始位置パルス出力端子９６、第２垂直表示開始位置設定値入力端子９７、第２垂直開始位置パルス発生部７５、第２垂直開始位置パルス出力端子９８を有している。
【０１１５】
クロック入力端子８、リセット入力端子１１、第１分周器２１、第１水平カウンタ２２、第１垂直パルス発生部２３、第１垂直カウンタ２４、第１水平カウンタ出力端子２９、第１垂直カウンタ出力端子３０、第２分周器２５、第２水平カウンタ２６、第２垂直パルス発生部２７、第２垂直カウンタ２８、第２水平カウンタ出力端子３１、第２垂直カウンタ出力端子３２、第１水平開始位置パルス発生部５２、第１垂直表示開始位置設定値入力端子９３、第１垂直開始位置パルス発生部７２、第２水平開始位置パルス発生部５５、第２垂直開始位置パルス発生部７５の動作については、上述の（第１の実施の形態）および（第２の実施の形態）および（第３の実施の形態）で説明しているため、ここではその説明を省略する。
【０１１６】
第１水平表示開始位置設定値入力端子９１は、図１０の第１の映像信号Ｓ５の水平表示開始位置を設定するために、設定値Ｓ３１ａを第１水平開始位置パルス発生部５２に入力する。
【０１１７】
第１水平開始位置パルス発生部５２は、水平カウンタ値Ｈ１と設定値Ｓ３１ａが一致したときにパルスＡ１を発生する。
第１水平開始位置パルス出力端子９２は、第１水平開始位置パルス発生部５２からのパルスＡ１を出力する。
【０１１８】
第１垂直表示開始位置設定値入力端子９３は、図１０における第１の映像信号Ｓ５の垂直表示開始位置を設定する設定値Ｓ３２ａを、第１垂直開始位置パルス発生部７２に入力する。
【０１１９】
第１垂直開始位置パルス発生部７２は、垂直カウンタ値Ｖ１と設定値Ｓ３２ａが一致したときにパルスＢ１を発生する。
第１垂直開始位置パルス出力端子９４は、第１垂直開始位置パルス発生部７２からのパルスＢ１を出力する。
【０１２０】
第２水平表示開始位置設定値入力端子９５は、図１０における第２の映像信号Ｓ６の水平表示開始位置を設定するために設定値Ｓ３１ｂを第２水平開始位置パルス発生部５５に入力する。
【０１２１】
第２水平開始位置パルス発生部５５は、水平カウンタ値Ｈ２と設定値Ｓ３１ｂが一致したときにパルスＡ２を発生する。
第２水平開始位置パルス出力端子９６は、第２水平開始位置パルス発生部５５からのパルスＡ２を出力する。
【０１２２】
第２垂直表示開始位置設定値入力端子９７は、図１０における第２の映像信号Ｓ６の垂直表示開始位置を設定する設定値Ｓ３２ｂを第２垂直開始位置パルス発生部７５に入力する。
【０１２３】
第２垂直開始位置パルス発生部７５は、垂直カウンタ値Ｖ２と設定値Ｓ３２ｂが一致したときにパルスＢ２を発生する。
第２垂直開始位置パルス出力端子９８は、第２垂直開始位置パルス発生部７５からのパルスＢ２を出力する。
【０１２４】
次に、図１０における第１の映像信号フォーマット部５について説明する。
第１の映像信号フォーマット部５は、カウンタ発生部８１から水平表示開始位置を示すパルスＡ１が入力されたタイミングで、表示する映像信号の出力を開始する。
【０１２５】
また第１の映像信号フォーマット部５は、カウンタ発生部６１から垂直表示開始位置を示すパルスＢ１が入力されたタイミングで、表示する映像信号の出力を開始する。
【０１２６】
次に、図１０における第２の映像信号フォーマット部６について説明する。
第２の映像信号フォーマット部６は、カウンタ発生部８１から水平表示開始位置を示すパルスＡ２が入力されたタイミングで、表示する映像信号の出力を開始する。
【０１２７】
また、第２の映像信号フォーマット部６は、カウンタ発生部８１から垂直表示開始位置を示すパルスＢ２が入力されたタイミングで、表示する映像信号の出力を開始する。
【０１２８】
なお、ここでは出力端子９より５２５ｐの映像信号を出力し、出力端子１０より７２０ｐの映像信号を出力する場合について説明しているが、これに限定するものではない。
【０１２９】
また、ここではクロック入力端子８から入力するクロックの周波数はＭ＝１１、Ｎ＝２である１４８．５ＭＨｚの場合について説明しているが、これに限定するものではない。
【０１３０】
また、ここでは映像信号出力端子が２個の場合について説明しているが、これに限定するものではない。
以上のように本発明の第４の実施の形態に係る映像信号再生装置は、位置設定部８２から出力される設定値Ｓ３１ａによって、水平表示開始位置を示すパルスＡ１の発生するタイミングを調節することができ、第１の映像信号フォーマット部５から出力される第１の映像信号Ｓ５の水平表示開始位置を調節することができる。
【０１３１】
また、位置設定部８２から出力される設定値Ｓ３２ａによって、垂直表示開始位置を示すパルスＢ１の発生するタイミングを調節することができ、第１の映像信号フォーマット部５から出力される第１の映像信号Ｓ５の垂直表示開始位置を調節することができる。
【０１３２】
また同様に、位置設定部８２から出力される設定値Ｓ３１ｂによって、第２の映像信号フォーマット部６から出力される第２の映像信号Ｓ６の水平表示開始位置を調節することができる。
【０１３３】
また同様に、位置設定部８２から出力される設定値Ｓ３２ｂによって、第２の映像信号フォーマット部６から出力される第２の映像信号Ｓ６の垂直表示開始位置を調節することができる。
【０１３４】
【発明の効果】
以上のように本発明によると、第１乃至第ｎの映像信号フォーマット部で垂直同期信号および水平同期信号を生成するための垂直カウンタおよび水平カウンタを持ち、前記第１乃至第ｎの映像信号を同時に出力するために、前記第１乃至第ｎの映像信号フォーマット部に前記垂直カウンタおよび水平カウンタの値を供給するカウンタ発生部を備えたものであるため、このカウンタ発生部を備えただけの構成で、それよりも回路規模を増大させることなしに、画像符号化データを複数の映像信号規格に従った映像信号に変換して同時に出力することができる。
【０１３５】
また本発明によると、上記において、第１乃至第ｎの映像信号フォーマット部またはカウンタ発生部に第１の映像信号の画素周波数のＭ／Ｎ倍（Ｍ、Ｎ：整数）のクロックを供給する手段を有するものであるため、第１の映像信号の垂直カウンタの初期化のタイミングと周期が一致するように他の映像信号の水平カウンタの周期を制御することにより、各映像信号フォーマット部とカウンタ発生部のクロックの共有化ができる。
【０１３６】
したがって本発明によると、入力された画像符号化データを復号して画像データを生成する動画像復号化手段を複数に分けたり、フレーム周期のずれを吸収するためのバッファを追加する必要などなく、回路規模の増大を抑制することができる。
【０１３７】
また本発明によると、水平表示開始位置を調整する手段を有することにより、出力される映像信号の水平表示開始位置を設定することができる。また、垂直表示開始位置を調整する手段を有することにより、出力される映像信号の垂直表示開始位置を設定することができる。
【図面の簡単な説明】
【図１】本発明の実施の形態１に係る映像信号再生装置の構成例を示す図
【図２】図１におけるカウンタ発生部の構成例を示す図
【図３】図１および図２における水平カウンタ値Ｈ１と垂直カウンタ値Ｖ１のタイミングの例を示す図
【図４】図１および図２における水平カウンタ値Ｈ２と垂直カウンタ値Ｖ２のタイミングの例を示す図
【図５】図２における設定値ａの設定パターンの例を示す図
【図６】本発明の実施の形態２に係る映像信号再生装置の構成例を示す図
【図７】図６におけるカウンタ発生部の構成例を示す図
【図８】本発明の実施の形態３に係る映像信号再生装置の構成例を示す図
【図９】図８におけるカウンタ発生部の構成例を示す図
【図１０】本発明の実施の形態４に係る映像信号再生装置の構成例を示す図
【図１１】図１０におけるカウンタ発生部の構成例を示す図
【図１２】従来の映像信号再生装置の構成例を示す図
【符号の説明】
３    第１の画像走査線変換部
４    第２の画像走査線変換部
５    第１の映像信号フォーマット部
６    第２の映像信号フォーマット部
７    カウンタ発生部
８    クロック入力端子
２１    第１分周器
２２    第１水平カウンタ
２３    第１垂直パルス発生部
２４    第１垂直カウンタ
２５    第２分周器
２６    第２水平カウンタ
２７    第２垂直パルス発生部
２８    第２垂直カウンタ
【図１】
2004328685.tif 000003
【図２】
2004328685.tif 000004
【図３】
2004328685.tif 000005
【図４】
2004328685.tif 000006
【図５】
2004328685.tif 000007
【図６】
2004328685.tif 000008
【図７】
2004328685.tif 000009
【図８】
2004328685.tif 000010
【図９】
2004328685.tif 000011
【図１０】
2004328685.tif 000012
【図１１】
2004328685.tif 000013
【図１２】
2004328685.tif 000014